(57)【特許請求の範囲】
【請求項１】
加熱対象物又は冷却対象物を収容する収容空間を有する収容部と、
前記収容部の上部に形成された開口を開閉する開閉部と、
電動工具用電池パックと接続可能に構成された電池接続部と、
前記電動工具用電池パックの電力によって動作するペルチェ素子と、
前記ペルチェ素子に供給する電力を制御する制御部と、を備えた電気機器であって、
前記電池接続部は、
前記電動工具用電池パックと接続する接続端子部と、
前記電動工具用電池パックを前記接続端子部に案内する案内部と、を有し、
前記電池接続部及び前記ペルチェ素子は、前記電気機器を上方から見て前記ペルチェ素子と前記電池接続部に接続された前記電動工具用電池パックとが互いに重ならず且つ前記開閉部を閉めた状態で前記ペルチェ素子が外部に露出しないよう、前記開閉部に設けられており、
前記収容部の底部の端部には、一対のキャスタが設けられ、
前記収容部の側面であって、前記一対のキャスタが設けられた側と反対側の側面には、ユーザが把持可能な把手が設けられていることを特徴とする電気機器。
【請求項２】
前記案内部は、前記電動工具用電池パックの前記接続端子部に対するスライド接続を案内するガイドレールであることを特徴とする請求項１に記載の電気機器。
【請求項３】
前記電池接続部に接続された状態の前記電動工具用電池パックを収容可能な電池収容部を有し、
前記電池収容部は、閉状態において前記電池接続部に接続された状態の前記電動工具用電池パックを覆い、開状態において前記電動工具用電池パックを露出させる蓋を有することを特徴とする請求項１又は２に記載の電気機器。
【請求項４】
加熱対象物又は冷却対象物を収容する収容空間を有する収容部と、
前記収容部の上部に形成された開口を開閉する開閉部と、
電動工具用電池パックと接続可能に構成された電池接続部と、
前記電動工具用電池パックの電力によって動作するペルチェ素子と、
前記ペルチェ素子に供給する電力を制御する制御部と、を備え、
前記電池接続部は、
前記電動工具用電池パックと接続する接続端子部と、
前記電動工具用電池パックを前記接続端子部に案内する案内部と、を有し、
前記制御部は、前記開閉部に設けられた制御基板に実装され、
前記開閉部は、前記電池接続部に接続された状態の前記電動工具用電池パックを収容可能な電池収容部を有し、
前記収容部は、
第１方向に延び前記第１方向における一端が前記開口を規定する周壁部と、
前記周壁部の前記第１方向における他端を閉塞する底壁部と、を有し、
前記開閉部は、前記制御基板を収容する基板収容部をさらに有し、
前記開閉部が前記開口を閉塞している状態において、前記第１方向における前記基板収容部の床と前記底壁部との離間距離は、前記電池収容部の床と前記底壁部との離間距離よりも長く構成され、
前記収容部の底部の端部には、一対のキャスタが設けられ、
前記収容部の側面であって、前記一対のキャスタが設けられた側と反対側の側面には、ユーザが把持可能な把手が設けられていることを特徴とする電気機器。
【請求項５】
加熱対象物又は冷却対象物を収容する収容空間を有する収容部と、
前記収容部の上部に形成された開口を開閉する開閉部と、
電動工具用電池パックと接続可能に構成された電池接続部と、
前記電動工具用電池パックの電力によって動作するペルチェ素子と、
前記ペルチェ素子に供給する電力を制御する制御部と、を備え、
前記収容部は、
上下方向となる第１方向に延び前記第１方向における一端が前記開口を規定する周壁部と、
前記周壁部の前記第１方向における他端を閉塞する底壁部と、を有し、
前記開閉部は、前記第１方向において所定の厚みを有する第１床部及び第２床部を有し、
前記開閉部が前記開口を閉塞している状態において、前記第１床部の下面と前記底壁部の上面との離間距離は、前記第２床部の下面と前記底壁部の上面との離間距離よりも長く構成され、
前記収容部の底部の端部には、一対のキャスタが設けられ、
前記収容部の側面であって、前記一対のキャスタが設けられた側と反対側の側面には、ユーザが把持可能な把手が設けられていることを特徴とする電気機器。
【請求項６】
前記電池接続部は、前記電動工具用電池パックを前記電池接続部に向かって前記第１方向のうちの一方向に移動させる、又は、前記第１方向と交差する第２方向のうちの一方向に移動させることで前記電動工具用電池パックと接続されるように構成されていることを特徴とする請求項４又は５に記載の電気機器。
【請求項７】
前記電池接続部を複数備えることを特徴とする請求項１乃至６のいずれか１項に記載の電気機器。
【請求項８】
外部電源と接続可能な電源接続部と、
前記電動工具用電池パックの電力を前記ペルチェ素子に供給可能に構成された電力供給部と、をさらに備え、
前記電力供給部は、前記外部電源の電力を前記ペルチェ素子に供給可能に構成されていることを特徴とする請求項１乃至７のいずれか１項に記載の電気機器。
【請求項９】
前記収容空間内の温度を検出する温度検出手段をさらに備え、
前記制御部は、前記電池接続部と前記電動工具用電池パックとの接続状態、前記電源接続部と前記外部電源との接続状態及び前記収容空間内の温度の少なくともいずれか一つに基づいて前記ペルチェ素子に供給される電力を制御することを特徴とする請求項８に記載の電気機器。
【請求項１０】
前記制御部は、制御基板に実装され、
前記制御基板は、前記開閉部、前記収容部の側部、及び前記収容部の底部のいずれかに設けられていることを特徴とする請求項１乃至３、及び請求項５のいずれか１項に記載の電気機器。
【請求項１１】
前記電池接続部は、前記開閉部又は前記収容部の底部に設けられていることを特徴とする請求項５に記載の電気機器。
【請求項１２】
前記ペルチェ素子の運転状態を切替える操作表示部を有し、
前記操作表示部には、前記運転状態を、冷却モード、加熱モード、温冷オフモード間で切替える温冷切替スイッチを有する請求項１乃至１１のいずれか１項に記載の電気機器。
【請求項１３】
前記操作表示部には、冷却モードの出力又は加熱モードの出力を、ハイモード、ノーマルモード、ローモード間で切替える出力切替スイッチを有することを特徴とする請求項１２に記載の電気機器。
【請求項１４】
前記開閉部は、
上下方向において前記ペルチェ素子より下方に設けられた第１ファン部と、
前記上下方向において前記ペルチェ素子より上方に設けられた第２ファン部と、
前記上下方向において前記第１ファン部と前記第２ファン部との間に設けられた熱交換部と、を備え、
前記熱交換部は、
前記ペルチェ素子と、
前記上下方向において前記ペルチェ素子に当接する熱伝導部材と、を有し、
前記第１ファン部は、
第１ファンと、
前記上下方向において前記熱伝導部材の下方で前記熱伝導部材と対向して設けられた第１フィン部と、を有し、
前記第２ファン部は、
第２ファンと、
前記上下方向において前記第２ファンと前記ペルチェ素子との間に設けられた第２フィン部と、を有することを特徴とする請求項１乃至１３のいずれか１項に記載の電気機器。
【請求項１５】
前記第２ファン、前記第２フィン部、前記ペルチェ素子、前記熱伝導部材、及び前記第１フィン部は、前記上下方向に並んで配置されていることを特徴とする請求項１４に記載の電気機器。
【請求項１６】
加熱対象物又は冷却対象物を収容する収容空間を有する収容部と、
前記収容部の上部に形成された開口を開閉する開閉部と、
電動工具用電池パックと接続可能に構成された電池接続部と、
前記電動工具用電池パックの電力によって動作するペルチェ素子と、
前記ペルチェ素子に供給する電力を制御する制御部と、を備えた電気機器であって、
前記収容部の底部の端部には一対のキャスタが設けられ、
前記収容部の側面であって前記一対のキャスタが設けられた側と反対側の側面にはユーザが把持可能な把手が設けられていることを特徴とする電気機器。
【発明の詳細な説明】
【技術分野】
【０００１】
本発明は、電気機器に関する。
【背景技術】
【０００２】
従来より、飲食物等を収容可能な筺体を有し、当該筐体に収容された飲食物等（収容物）を冷却又は加熱可能な可搬式の電気機器が広く用いられている。このような可搬式の電気機器としては、例えば、筺体に内部バッテリが組込まれたクーラーボックスが知られている（特許文献１）。特許文献１に記載のクーラーボックスは、外部電源を使用可能な場所においては、外部電源の電力で駆動され内部バッテリを充電しながら収容物を冷却し、外部電源を使用できない場所においては、充電された内部バッテリの電力で駆動され収容物を冷却する構成である。
【先行技術文献】
【特許文献】
【０００３】
【特許文献１】特開平９−１３８０４７号公報
【発明の概要】
【発明が解決しようとする課題】
【０００４】
しかしながら、上記クーラーボックスにおいては、内部バッテリを充電しようとする場合、外部電源を使用可能な場所にクーラーボックス自体を移動させなければならず、利便性が悪いという問題があった。また、内部バッテリが故障した場合にあっては、筺体に組込まれた内部バッテリを修理又は交換する必要があり、メンテナンスが困難であるといった問題があった。
【０００５】
そこで本発明は、利便性を向上させるとともにメンテナンスを容易とした電気機器を提供することを目的とする。
【課題を解決するための手段】
【０００６】
上記課題を解決するために本発明は、開口が形成され該開口と連続する収容空間が内部に画成された収容部と、該開口を開閉可能な開閉部と、電池パックと接続可能に構成された電池接続部と、該電池パックの電力によって動作する出力部と、該出力部に供給する電力を制御する制御部と、を備えることを特徴とする電気機器を提供している。
【０００７】
このような構成によると、電池パックと接続可能に構成された電池接続部を備えているため、電池パックが故障した場合であっても他の電池パックを電池接続部に接続することで出力部に電力を供給することができる。これにより、内部バッテリを用いる構成と比較して、利便性が高く、メンテナンスを容易とすることができる。
【０００８】
上記課題を解決するために本発明はさらに、開口が形成され該開口と連続する収容空間が内部に画成された収容部と、該開口を開閉可能な開閉部と、電力が供給されることで該収容空間内の温度を変化させる温度変化手段と、電池パックと接続可能に構成された電池接続部と、該電池パックの電力を該温度変化手段に供給可能に構成された電力供給部と、該電力供給部から該温度変化手段に供給される電力を制御する制御部と、を備えることを特徴とする電気機器を提供している。
【０００９】
このような構成によると、電池パックと接続可能に構成された電池接続部を備えているため、電池パックが故障した場合であっても他の電池パックを電池接続部に接続することで温度変化手段に電力を供給することができる。これにより、内部バッテリを用いる構成と比較して、利便性が高く、メンテナンスを容易とすることができる。
【００１０】
また、上記構成において、該電池接続部は、該開閉部に設けられていることが好ましい。
【００１１】
このような構成によると、電池接続部が開閉部に設けられているため、収容部に電池接続部が設けられている構成と比較して、収容空間内を広くすることができる。また、電池接続部に電池パックを接続した状態で開閉部により開口を閉塞した場合には、電池パックの重さにより収容空間内の密閉性を高めることができる。特に、単一の乾電池と比較して電池パックは重いため、電池パックは密閉性を高める場合に効果的である。また、電池パックの着脱が容易である。更に、収容部を傾けて開口から収容空間内に溜まった水等を捨てる際に、収容部の壁面を伝って水が流れる場合でも電池接続部に水が入り込んでしまうことを防止できる。
【００１２】
また、上記構成において、該制御部は、制御基板に実装され、該制御基板は、該開閉部に設けられていることが好ましい。
【００１３】
このような構成によると、制御基板が開閉部に設けられているため、収容部に制御基板が設けられている構成と比較して、収容空間内を広くすることができる。また、収容部を傾けて開口から収容空間内に溜まった水等を捨てる際に、収容部の壁面を伝って水が流れる場合でも制御基板に水が入り込んでしまうことを防止できる。
【００１４】
また、該開閉部は、該電池接続部に接続された状態の該電池パックを収容可能な電池収容部を有し、該電池収容部は、閉状態において該電池接続部に接続された状態の該電池パックを覆い、開状態において該電池パックを露出させる蓋を有することが好ましい。
【００１５】
このような構成によると、蓋により電池接続部に接続された状態の電池パックを覆うことができる。これにより、電池接続部に接続された状態の電池パックを衝撃や雨水等から保護することができ、電池パックの故障を抑制することができる。
【００１６】
また、該収容部は、第１方向に延び該第１方向における一端が該開口を規定する周壁部と、該周壁部の該第１方向における他端を閉塞する底壁部と、を有し、該開閉部は、該制御基板を収容する基板収容部をさらに有し、該開閉部が該開口を閉塞している状態において、該第１方向における該基板収容部の床と該底壁部との離間距離は、該電池収容部の床と該底壁部との離間距離よりも長いことが好ましい。
【００１７】
このような構成によると、底壁部を下側にして電気機器を地面に載置した場合、制御基板を収容する基板収容部の床は、電池収容部の床よりも高い位置となる。このため、開閉部が収容部の開口を閉塞している状態において、基板収容部の床と底壁部との間の空間を広くすることができる。また、電池収容部と基板収容部が連通している構成の場合、電池収容部に雨水等が浸入した場合でも雨水が基板収容部に流れ込んでしまうことを防止でき、制御基板を保護することができる。
【００１８】
また、該電池接続部は、該電池パックを該電池接続部に向かって該第１方向のうちの一方向に移動させることで該電池パックと接続されるように構成されていることが好ましい。
【００１９】
このような構成によると、電池パックを電池接続部に簡易に接続することができる。
【００２０】
また、該電池接続部は、該電池パックを該電池接続部に向かって該第１方向と交差する第２方向のうちの一方向に移動させることで該電池パックと接続されるように構成されていることが好ましい。
【００２１】
また、該電池接続部を複数備えることが好ましい。
【００２２】
このような構成によると、温度変化手段に供給可能な電力を多くするこができる。
【００２３】
また、外部電源と接続可能な電源接続部をさらに備え、該電力供給部は、該外部電源の電力を該温度変化手段に供給可能に構成されていることが好ましい。
【００２４】
このような構成によると、電池パックの残量がない場合であっても、温度変化手段に電力を供給することができ、利便性をより向上させることができる。
【００２５】
また、該収容空間内の温度を検出する温度検出手段をさらに備え、該制御部は、該電池接続部と該電池パックとの接続状態、該電源接続部と該外部電源との接続状態及び該収容空間内の温度の少なくともいずれか一つに基づいて該温度変化手段に供給される電力を制御することが好ましい。
【００２６】
このような構成によると、制御部は、電池接続部と電池パックとの接続状態、電源接続部と外部電源との接続状態及び収容空間内の温度に基づいて温度変化手段に供給される電力を制御するため、温度変化手段に適切な電力を供給することができる。
【００２７】
また、該電池パックは電動工具用電池パックであることが好ましい。
【００２８】
このような構成によると、乾電池を使用する場合と比較して温度変化手段に供給可能な電力を多くするこができる。また、電動工具を用いて作業している場合にはその電池パックを利用することができる。また、電池パックを開閉部に取り付ける構成とすれば、乾電池と比較して重いため、電池接続部に電池パックを接続した状態で開閉部により開口を閉塞した場合、電池パックの重さにより収容空間内の密閉性を一層高めることができる。
【００２９】
また、該制御部は、制御基板に実装され、該制御基板は、該収容部の側面又は底面に設けられていることが好ましい。
【００３０】
このような構成によると、開閉部を軽くすることができ、開閉部の開閉を容易にすることができる。
【００３１】
また、該電池接続部は、該収容部の底面に設けられていることが好ましい。
【００３２】
このような構成によると、開閉部を軽くすることができ、開閉部の開閉を容易にすることができる。また、電気機器を安定して置くことができる。
【００３３】
また、該収容部の底面の端部には一対のキャスタが設けられ、該電池接続部は、該収容部の底面において、該端部以外の部分に設けられていることが好ましい。
【００３４】
このような構成によると、キャスタにより電気機器を移動し易くすることができる。更に、キャスタを中心に収容部を傾けて開口から収容空間内に溜まった水等を捨てる場合、収容部の壁面を伝って水が流れたとしても、電池接続部はキャスタとは反対側に設けられているため、電池接続部に水が入り込んでしまうことを防止できる。
上記課題を解決するために、本発明はさらに、加熱対象物又は冷却対象物を収容する収容空間を有する収容部と、前記収容部の上部に形成された開口を開閉する開閉部と、電動工具用電池パックと接続可能に構成された電池接続部と、前記電動工具用電池パックの電力によって動作するペルチェ素子と、前記ペルチェ素子に供給する電力を制御する制御部と、を備えた電気機器であって、前記電池接続部は、前記電動工具用電池パックと接続する接続端子部と、前記電動工具用電池パックを前記接続端子部に案内する案内部と、を有し、前記電池接続部及び前記ペルチェ素子は、前記電気機器を上方から見て前記ペルチェ素子と前記電池接続部に接続された前記電動工具用電池パックとが互いに重ならず且つ前記開閉部を閉めた状態で前記ペルチェ素子が外部に露出しないよう、前記開閉部に設けられており、前記収容部の底部の端部には、一対のキャスタが設けられ、前記収容部の側面であって、前記一対のキャスタが設けられた側と反対側の側面には、ユーザが把持可能な把手が設けられていることを特徴とする電気機器を提供する。
上記構成において、前記案内部は、前記電動工具用電池パックの前記接続端子部に対するスライド接続を案内するガイドレールであることが好ましい。
上記構成において、前記電池接続部に接続された状態の前記電動工具用電池パックを収容可能な電池収容部を有し、前記電池収容部は、閉状態において前記電池接続部に接続された状態の前記電動工具用電池パックを覆い、開状態において前記電動工具用電池パックを露出させる蓋を有することが好ましい。
上記課題を解決するために本発明はさらに、加熱対象物又は冷却対象物を収容する収容空間を有する収容部と、前記収容部の上部に形成された開口を開閉する開閉部と、電動工具用電池パックと接続可能に構成された電池接続部と、前記電動工具用電池パックの電力によって動作するペルチェ素子と、前記ペルチェ素子に供給する電力を制御する制御部と、を備え、前記電池接続部は、前記電動工具用電池パックと接続する接続端子部と、前記電動工具用電池パックを前記接続端子部に案内する案内部と、を有し、前記制御部は、前記開閉部に設けられた制御基板に実装され、前記開閉部は、前記電池接続部に接続された状態の前記電動工具用電池パックを収容可能な電池収容部を有し、前記収容部は、第１方向に延び前記第１方向における一端が前記開口を規定する周壁部と、前記周壁部の前記第１方向における他端を閉塞する底壁部と、を有し、前記開閉部は、前記制御基板を収容する基板収容部をさらに有し、前記開閉部が前記開口を閉塞している状態において、前記第１方向における前記基板収容部の床と前記底壁部との離間距離は、前記電池収容部の床と前記底壁部との離間距離よりも長く構成され、前記収容部の底部の端部には一対のキャスタが設けられ、前記収容部の側面であって前記一対のキャスタが設けられた側と反対側の側面にはユーザが把持可能な把手が設けられていることを特徴とする電気機器を提供する。
上記課題を解決するために本発明はさらに、加熱対象物又は冷却対象物を収容する収容空間を有する収容部と、前記収容部の上部に形成された開口を開閉する開閉部と、電動工具用電池パックと接続可能に構成された電池接続部と、前記電動工具用電池パックの電力によって動作するペルチェ素子と、前記ペルチェ素子に供給する電力を制御する制御部と、を備え、前記収容部は、上下方向となる第１方向に延び前記第１方向における一端が前記開口を規定する周壁部と、前記周壁部の前記第１方向における他端を閉塞する底壁部と、を有し、前記開閉部は、前記第１方向において所定の厚みを有する第１床部及び第２床部を有し、前記開閉部が前記開口を閉塞している状態において、前記第１床部の下面と前記底壁部の上面との離間距離は、前記第２床部の下面と前記底壁部の上面との離間距離よりも長く構成され、前記収容部の底部の端部には一対のキャスタが設けられ、前記収容部の側面であって前記一対のキャスタが設けられた側と反対側の側面にはユーザが把持可能な把手が設けられていることを特徴とする電気機器を提供する。
上記構成において、前記電池接続部は、前記電動工具用電池パックを前記電池接続部に向かって前記第１方向のうちの一方向に移動させる、又は、前記第１方向と交差する第２方向のうちの一方向に移動させることで前記電動工具用電池パックと接続されるように構成されていることが好ましい。
上記構成において、前記電池接続部を複数備えることが好ましい。
上記構成において、外部電源と接続可能な電源接続部と、前記電動工具用電池パックの電力を前記ペルチェ素子に供給可能に構成された電力供給部と、をさらに備え、前記電力供給部は、前記外部電源の電力を前記ペルチェ素子に供給可能に構成されていることが好ましい。
上記構成において、前記収容空間内の温度を検出する温度検出手段をさらに備え、前記制御部は、前記電池接続部と前記電動工具用電池パックとの接続状態、前記電源接続部と前記外部電源との接続状態及び前記収容空間内の温度の少なくともいずれか一つに基づいて前記ペルチェ素子に供給される電力を制御することが好ましい。
上記構成において、前記制御部は、制御基板に実装され、前記制御基板は、前記開閉部、前記収容部の側部、及び前記収容部の底部のいずれかに設けられていることが好ましい。
上記構成において、前記電池接続部は、前記開閉部又は前記収容部の底部に設けられていることが好ましい。
上記構成において、前記収容部の底部の端部には一対のキャスタが設けられ、前記収容部の側面であって前記一対のキャスタが設けられた側と反対側の側面にはユーザが把持可能な把手が設けられていることが好ましい。
上記構成において、前記ペルチェ素子の運転状態を切替える操作表示部を有し、前記操作表示部には、前記運転状態を、冷却モード、加熱モード、温冷オフモード間で切替える温冷切替スイッチを有することが好ましい。
また、上記構成において、前記操作表示部には、冷却モードの出力又は加熱モードの出力を、ハイモード、ノーマルモード、ローモード間で切替える出力切替スイッチを有することが好ましい。
上記構成において、前記開閉部は、上下方向において前記ペルチェ素子より下方に設けられた第１ファン部と、前記上下方向において前記ペルチェ素子より上方に設けられた第２ファン部と、前記上下方向において前記第１ファン部と前記第２ファン部との間に設けられた熱交換部と、を備え、前記熱交換部は、前記ペルチェ素子と、前記上下方向において前記ペルチェ素子に当接する熱伝導部材と、を有し、前記第１ファン部は、第１ファンと、前記上下方向において前記熱伝導部材の下方で前記熱伝導部材と対向して設けられた第１フィン部と、を有し、前記第２ファン部は、第２ファンと、前記上下方向において前記第２ファンと前記ペルチェ素子との間に設けられた第２フィン部と、を有することが好ましい。
上記構成において、前記第２ファン、前記第２フィン部、前記ペルチェ素子、前記熱伝導部材、及び前記第１フィン部は、前記上下方向に並んで配置されていることが好ましい。
上記課題を解決するために本発明はさらに、加熱対象物又は冷却対象物を収容する収容空間を有する収容部と、前記収容部の上部に形成された開口を開閉する開閉部と、電動工具用電池パックと接続可能に構成された電池接続部と、前記電動工具用電池パックの電力によって動作するペルチェ素子と、前記ペルチェ素子に供給する電力を制御する制御部と、を備えた電気機器であって、前記収容部の底部の端部には一対のキャスタが設けられ、前記収容部の側面であって前記一対のキャスタが設けられた側と反対側の側面にはユーザが把持可能な把手が設けられていることを特徴とする電気機器を提供する。
【発明の効果】
【００３５】
本発明の電気機器よれば、利便性を向上させるとともにメンテナンスを容易とすることができる。
【図面の簡単な説明】
【００３６】
【図１】本発明の第１の実施の形態による温度調整容器の外観を示す斜視図である。
【図２】本発明の第１の実施の形態による温度調整容器の外観を示す平面図であり、電池接続部に電池パックが接続された状態を示している。
【図３】本発明の第１の実施の形態による温度調整容器の内部を示す図２のＩＩＩ−ＩＩＩ線に沿った部分断面図である。
【図４】本発明の第１の実施の形態による温度調整容器の内部を示す図２のＩＶ−ＩＶ線に沿った部分断面図である。
【図５】本発明の第１の実施の形態による温度調整容器の内部を示す図２のＶ−Ｖ線に沿った部分断面図である。
【図６】本発明の第１の実施の形態による温度調整容器の開閉蓋部の内部を示す分断面平面図である。
【図７】本発明の第１の実施の形態による温度調整容器の外観を示す斜視図であり、電池蓋が開姿勢となっている状態を示している。
【図８】本発明の第１の実施の形態による温度調整容器の内部を示す図２のＩＩＩ−ＩＩＩ線に沿った部分断面図であり、電池蓋が開姿勢となっている状態を示している。
【図９】本発明の第１の実施の形態による温度調整容器の操作表示部を示す図である。
【図１０】本発明の第１の実施の形態による温度調整容器の電気的構成を示すブロック図を含む回路図であり、電池パックＰと接続された状態を示している。
【図１１】本発明の第１の実施の形態による温度調整容器のハイモード、ノーマルモード、ローモードの各モードにおける外部電源入力の有無、電池接続の有無、電池残量、及び、収容空間温度に応じたペルチェ供給電力を示したテーブルである。
【図１２】本発明の第２の実施の形態による温度調整容器の外観を示す平面図であり、電池接続部に電池パックを接続した状態を示している。
【図１３】本発明の第２の実施の形態による温度調整容器の内部を示す図１２のＸＩＩＩ−ＸＩＩＩ線に沿った部分断面図であり、電池蓋が閉姿勢である状態を示している。
【図１４】本発明の第２の実施の形態による温度調整容器の内部を示す図１２のＸＩＩＩ−ＸＩＩＩ線に沿った部分断面図であり、電池蓋が開姿勢である状態を示している。
【図１５】本発明の第２の実施の形態による温度調整容器の開閉蓋部の内部を示す部分断面平面図である。
【図１６】本発明の第３の実施の形態による温度調整容器の開閉蓋部の内部を示す部分断面平面図である。
【図１７】本発明の第４の実施の形態による温度調整容器の開閉蓋部の内部を示す部分断面平面図である。
【図１８】本発明の第５の実施の形態による温度調整容器の開閉蓋部の内部を示す部分断面平面図である。
【図１９】本発明の第６の実施の形態による温度調整容器の内部を示す部分断面前面図である。
【図２０】本発明の第７の実施の形態による温度調整容器の内部を示す部分断面前面図である。
【図２１】本発明の第８の実施の形態による温度調整容器の内部を示す部分断面前面図である。
【図２２】本発明の第９の実施の形態による温度調整容器の内部を示す部分断面前面図である。
【発明を実施するための形態】
【００３７】
以下、本発明の実施の形態について添付図面を参照しながら説明する。なお、以下の説明において、具体的な数値に言及した場合、例えば、長さについて「２０ｍｍ」のように言及した場合、当該数値と完全に一致する場合だけでなく、当該数値と略同一である場合も含むものとする。また、位置関係等に言及した場合、例えば、平行、直交、反対等のように言及した場合、完全に平行、直交、反対等である場合だけでなく、略平行、略直交、略反対等である場合を含むものとする。
【００３８】
本発明の実施の形態について図１〜図２２を参照しながら説明する。
【００３９】
最初に、図１〜図１１を参照しながら、本発明の第１の実施の形態による電気機器について説明する。図１は、温度調整容器１の外観を示す斜視図である。なお、以下の説明においては、図中の矢印で示されている「前」を前方向、「後」を後方向、「上」を上方向、「下」を下方向、「右」を右方向、「左」を左方向と定義する。
【００４０】
図１に示されている温度調整容器１は、電動工具用の電池パックＰ（図２）及び電池パックＰ以外の外部電源のいずれかを電源として、内部に収容された飲食物等（以下、収容物）を冷却及び加熱可能に構成された電気機器である。温度調整容器１は、冷却及び加熱すなわち温冷機能に関する３つのモード（冷却モード、加熱モード、温冷オフモード）と、温冷機能の出力に関する３つのモード（ハイモード、ノーマルモード、ローモード）とを備えている。また、温度調整容器１は充電機能を備えており、電池パックＰを充電可能に構成されている。なお、上記のモード及び充電機能の詳細については、後述する。
【００４１】
図１〜図５に示されているように、温度調整容器１は、収容部２と、開閉蓋部３と、熱交換部４と、第１ファン部５と、電池パックＰと接続可能に構成された電池接続部６と、第２ファン部７と、制御基板部８とを備えている。
【００４２】
図２は、温度調整容器１の外観を示す平面図であり、電池接続部６に電池パックＰが接続された状態を示している。図３〜図５は、温度調整容器１の内部を示す図であり、図３は、図２のＩＩＩ−ＩＩＩ線に沿った部分断面図、図４は、図２のＩＶ−ＩＶ線に沿った部分断面図、図５は、図２のＶ−Ｖ線に沿った部分断面図である。なお、図４において、電池パックＰは断面ではなくその底面が図示されている。
【００４３】
図１〜図５に示されているように、収容部２は、上端部に開口２ａ（図３〜図５）が形成された略ボックス形状をなしており、周壁部２１と、周壁部２１と一体に形成された床壁部２２とを有している。また、図３〜図５に示されているように、収容部２の内部には開口２ａと連続する収容空間２ｂが画成されている。
【００４４】
図１、図３〜図５に示されているように、周壁部２１は、前面視において略矩形状をなし前後方向に所定の厚みを有する前壁部２１Ａ及び後壁部２１Ｂと、右側面視において矩形状をなし左右方向に所定の厚みを有する右壁部２１Ｃ及び左壁部２１Ｄと、一対のロック部２１Ｅと、把手２１Ｆとを有している。
【００４５】
前壁部２１Ａと後壁部２１Ｂとは略平行に配置されており、右壁部２１Ｃは、前壁部２１Ａの右端縁と後壁部２１Ｂの右端縁とを接続し、左壁部２１Ｄは、前壁部２１Ａの左端縁と後壁部２１Ｂの左端縁とを接続している。また、前壁部２１Ａ、後壁部２１Ｂ、右壁部２１Ｃ及び左壁部２１Ｄのそれぞれの上端部は、平面視略矩形状の開口２ａを規定している、言い換えれば、周壁部２１の上端部は開口２ａを規定している。
【００４６】
図１及び図２に示されているように、一対のロック部２１Ｅは、開閉蓋部３を収容部２に対して固定するための手動操作可能なロック機構であり、前壁部２１Ａの前面上部において左右方向に並んで設けられている。図１に示されているように、把手２１Ｆは、温度調整容器１を運搬する際にユーザが把持する部分であり、左壁部２１Ｄの左面上部に設けられている。詳細には、把手２１Ｆは、図示せぬ回動軸を介して左壁部２１Ｄの左面上部に接続されており、当該回動軸を中心に回動可能に構成されている。
【００４７】
図４〜図５に示されているように、床壁部２２は、周壁部２１の下端部を閉塞する部分であり、底面視において略矩形状をなし上下方向に所定の厚みを有している。また、図１に示されているように、床壁部２２の右端部には、１対のキャスタ２２Ｂが設けられている。床壁部２２は、本発明における「底壁部」の一例である。
【００４８】
図３〜図５に示されているように、収容空間２ｂは、収容物を収容するための空間であり、周壁部２１の内側面（前壁部２１Ａの後面、後壁部２１Ｂの前面、右壁部２１Ｃの左面及び左壁部２１Ｄの右面）と床壁部２２の上面とによって画成されている。また、一体に形成された周壁部２１及び床壁部２２の外郭部分は、ＡＢＳ樹脂製であり、周壁部２１及び床壁部２２の内部には、発泡ウレタン等の断熱材２Ａが充填されている。これにより、収容空間２ｂ内の断熱性が確保されている。
【００４９】
図１に示されているように、開閉蓋部３は、略直方体形状をなしており、収容部２に対して回動可能に設けられている。詳細には、開閉蓋部３の後部下部は、図示せぬ左右方向に延びる回動軸を介して収容部２の後壁部２１Ｂの上端部に接続されており、収容部２の開口２ａを閉塞する閉姿勢（図１〜図５に示されている状態）と開口２ａを開放する開姿勢（不図示）との間を当該回動軸を中心として回動可能に構成されている。開閉蓋部３が開姿勢の状態においては、開口２ａは開放され、開口２ａを介して収容物を収容空間２ｂ内に収容可能である。また、開閉蓋部３が閉姿勢の状態においては、開口２ａは閉塞され、収容空間２ｂは密閉状態となる。なお、一対のロック部２１Ｅにより開閉蓋部３を収容部２に固定することで、収容空間２ｂ内の密閉性を向上させることができる。開閉蓋部３は、本発明における「開閉部」の一例である。
【００５０】
また、図１〜図５に示されているように、開閉蓋部３には、熱交換部４、第１ファン部５、電池接続部６、第２ファン部７及び制御基板部８が設けられており、図６に示されているように、開閉蓋部３の内部には、電池収容空間３ａ、ファン収容空間３ｂ及び基板収容空間３ｃが画成されている。図６は、開閉蓋部３の内部を示す部分断面平面図である。
【００５１】
図３〜図６に示されているように、開閉蓋部３は、開閉蓋部３の底面を規定するとともに閉姿勢において開口２ａを閉塞する蓋床壁部３１と、蓋床壁部３１の上面の前端縁から上方に延出し開閉蓋部３の前面を規定する前板部３２と、蓋床壁部３１の上面の後端縁から上方に延出し後面を規定する後板部３３と、蓋床壁部３１の上面の右端縁から上方に延出し右側面を規定する右板部３４と、蓋床壁部３１の上面の左端縁から上方に延出し左側面を規定する左板部３５と、前板部３２、後板部３３、右板部３４及び左板部３５それぞれの上端部を接続する上板部３６とを備えている。
【００５２】
図４及び図５に示されているように、蓋床壁部３１は、底面視において前後方向に長い略長方形状をなし上下方向に所定の厚みを有する第１床部３１１及び第２床部３１２と、第１床部３１１と第２床部３１２と一体に接続する傾斜床部３１３とを有している。また、蓋床壁部３１（一体に形成された第１床部３１１、第２床部３１２及び傾斜床部３１３）の外郭部分は、ＡＢＳ樹脂製であり、蓋床壁部３１の内部には、発泡ウレタン等の断熱材２Ａが充填されている。これにより、開閉蓋部３が閉姿勢の状態における収容空間２ｂ内の断熱性を向上させている。
【００５３】
第１床部３１１は開閉蓋部３の左部を形成するとともに第２床部３１２よりも上方に位置している。第２床部３１２は開閉蓋部３の右部を形成している。また、図３に示されているように、第２床部３１２の前後方向中央よりも僅かに後側には、第２床部３１２を上下方向に貫通する平面視略円形状の貫通孔３１２ａが形成されている。貫通孔３１２ａ内には、熱交換部４が配置されている。さらに、第２床部３１２の下面には、第１ファン部５が設けられている。傾斜床部３１３は第１床部３１１の右縁部と第２床部３１２の左縁部を接続している。
【００５４】
ここで、図４を参照しながら、第１床部３１１と第２床部３１２との位置関係について説明する。第１床部３１１の上面３１１Ａは、第２床部３１２の上面３１２Ａよりも上方に位置しており、第１床部３１１の上面３１１Ａと収容部２の床壁部２２の上面２２Ａとの離間距離Ｌ１は、第２床部３１２の上面３１２Ａと床壁部２２の上面２２Ａとの離間距離Ｌ２よりも長く構成されている。すなわち、第１床部３１１の上面３１１Ａは、第２床部３１２の上面３１２Ａよりも高い位置にある。
【００５５】
さらに、当該状態において、第１床部３１１の下面３１１Ｂは、第２床部３１２の下面３１２Ｂよりも上方に位置しており、第１床部３１１の下面３１１Ｂと床壁部２２の上面２２Ａとの離間距離Ｌ３は、第２床部３１２の下面３１２Ｂと床壁部２２の上面２２Ａとの離間距離Ｌ４よりも長く構成されている。本実施の形態においては、離間距離Ｌ３は、略３６４ｍｍであり、２Ｌのペットボトル（約３１０ｍｍ）を収容可能、離間距離Ｌ４は、略３０５ｍｍであり、５００ｍＬのペットボトル（約２１８ｍｍ）を収容可能である。離間距離Ｌ１は略３９４ｍｍ、離間距離Ｌ２は略３３５ｍｍである。
【００５６】
次に、開閉蓋部３内部に画成された電池収容空間３ａ、ファン収容空間３ｂ及び基板収容空間３ｃについて説明する。図６に示されているように、電池収容空間３ａは開閉蓋部３内の右側前部に、ファン収容空間３ｂは開閉蓋部３内の右側後部に、基板収容空間３ｃは開閉蓋部３内の左側に画成されている。
【００５７】
電池収容空間３ａ内には、電池接続部６が設けられており、電池パックＰを電池接続部６に接続した状態で収容可能である。電池収容空間３ａは、第２床部３１２の上面３１２Ａの前部（図３、図４）と、前板部３２の右部後面（図３、図６）と、上面３１２Ａにおける前後方向中央よりも僅かに前方の部分から上方に延出する第１仕切板３７の前面（図３、図６）と、右板部３４の前部左側面（図４、図６）と、第１床部３１１の上面３１１Ａにおける右側縁前部から上方に延出する第２仕切板３８の右側面（図４、図６）と、上板部３６の右側前部の下面（図３、図４）と、によって画成されていおり、ファン収容空間３ｂ及び基板収容空間３ｃとは連通していない空間となっている。電池収容空間３ａ及び電池収容空間３ａを画成する部分は、本発明における「電池収容部」の一例である。
【００５８】
また、前板部３２の電池収容空間３ａを画成する部分の上部及び上板部３６の電池収容空間３ａを画成する部分の一部は、切り欠かれており、当該切り欠かれている部分には、電池蓋３Ａが設けられている。電池蓋３Ａは、前板部３２に設けられた左右方向に延びる回動軸３２Ａを介して前板部３２に接続されており、回動軸３２Ａを中心に、電池収容空間３ａと外部との連通を遮断する閉姿勢（図２〜図４に示されている状態、閉状態）と、電池収容空間３ａと外部とを連通する開姿勢（図７及び図８に示されている状態、開状態）との間を回動可能に構成されている。また、電池パックＰが電池接続部６に接続された状態において、電池蓋３Ａは、開姿勢で電池パックＰを外部に露出し、閉姿勢で電池パックＰを覆う。図７は、電池蓋３Ａが開姿勢となっている状態（開状態）の温度調整容器１の外観を示す斜視図であり、図８は、電池蓋３Ａが開姿勢である状態の温度調整容器１の内部を示す図２のＩＩＩ−ＩＩＩ線に沿った部分断面図である。電池蓋３Ａは、本発明における「蓋」の一例である。
【００５９】
ファン収容空間３ｂ内には、第２ファン部７が設けられている。ファン収容空間３ｂは、第２床部３１２の上面３１２Ａの後部（図３、図５）と、後板部３３の右部前面（図３、図６）と、第１仕切板３７の後面（図３、図６）と、右板部３４の後部左側面（図５、図６）と、上板部３６の下面の左右方向略中央から下方に延出する第３仕切板３９の右側面（図５、図６）と、上板部３６の右側後部の下面（図３、図５）と、によって画成されている。
【００６０】
また、図５に示されているように、第３仕切板３９の下端部と傾斜床部３１３との間には、ファン収容空間３ｂと基板収容空間３ｃとを連通する隙間が形成されている。さらに、図１及び図２に示されているように、上板部３６のファン収容空間３ｂを画成する部分には、ファン収容空間３ｂと外部とを連通する吸気孔３ｄが複数形成されており、右板部３４のファン収容空間３ｂを画成する部分には、ファン収容空間３ｂと外部とを連通する排気孔３ｅが複数形成されている。
【００６１】
基板収容空間３ｃ内には、制御基板部８が設けられている。基板収容空間３ｃは、第１床部３１１の上面３１１Ａ（図４、図５）と、前板部３２の左部後面（図６）と、後板部３３の左部前面（図６）と、左板部３５の右側面（図４、図６）と、第２仕切板３８の左側面（図４、図６）と、第３仕切板３９の左側面（図５、図６）と、上板部３６の左部下面（図４、図５）と、によって画成されている。基板収容空間３ｃ及び基板収容空間３ｃを画成する部分は、本発明における「基板収容部」の一例である。
【００６２】
図２に示されているように、基板収容空間３ｃを画成する左板部３５の前部には、排気孔３ｆが複数形成されている。図１に示されているように、前板部３２の基板収容空間３ｃを画成する部分の前面には、操作表示部３Ｂが設けられている。
【００６３】
ここで、図９及び図１０を参照しながら操作表示部３Ｂについて説明する。図９は、操作表示部３Ｂを示す図であり、図１０は、温度調整容器１の電気的構成を示すブロック図を含む回路図であり、電池パックＰと接続された状態を示している。
【００６４】
図９に示されているように、操作表示部３Ｂは、手動操作可能なプッシュ式のスイッチボタンである電源スイッチ３Ｆ、温冷切替スイッチ３Ｇ及び出力切替スイッチ３Ｈと、モードの状態を示すためのＬＥＤで構成された冷却ランプ３Ｉ、加熱ランプ３Ｊ、高出力ランプ３Ｋ、低出力ランプ３Ｌ及び充電ランプ３Ｍとを備えている。また、図１０に示されているように、操作表示部３Ｂの３つのプッシュ式スイッチ及び各ランプは、制御基板部８に接続されており、３つのスイッチボタンはユーザの操作に応じた信号を制御基板部８に出力するように構成されており、各ランプを点灯状態は、モードの状態に応じて制御基板部８により変更される。
【００６５】
電源スイッチ３Ｆは、温度調整容器１の電源のオン／オフを切替えるためのスイッチである。温冷切替スイッチ３Ｇは、冷却モード、加熱モード、温冷オフモードの間でモードを切替えるためのスイッチである。出力切替スイッチ３Ｈは、ハイモード、ノーマルモード、ローモードの間でモードを切替えるためのスイッチである。
【００６６】
本実施の形態では、冷却モードに設定されている場合、冷却ランプ３Ｉは点灯し、且つ、加熱ランプ３Ｊは消灯し、加熱モードに設定されている場合、冷却ランプ３Ｉは消灯し、且つ、加熱ランプ３Ｊは点灯し、温冷オフモードに設定されている場合、冷却ランプ３Ｉ及び加熱ランプ３Ｊは消灯する。また、ハイモードに設定されている場合、高出力ランプ３Ｋは点灯し、且つ、低出力ランプ３Ｌは消灯し、ローモードに設定されている場合、高出力ランプ３Ｋは消灯し、且つ、低出力ランプ３Ｌは点灯し、ノーマルモードに設定されている場合、高出力ランプ３Ｋ及び低出力ランプ３Ｌは消灯する。また、充電ランプ３Ｍは、電池パックＰに対して充電を行っている場合に点灯し、充電を行っていない場合には消灯される。例えば、冷却モード且つハイモードで充電を行っていない場合、冷却ランプ３Ｉ及び高出力ランプ３Ｋは点灯し、他のランプは消灯する。
【００６７】
図６に戻り、後板部３３の基板収容空間３ｃを画成する部分には、外部電源接続部３Ｃが設けられている。外部電源接続部３Ｃは、図１０に示されているように、制御基板部８と接続された外部プラス端子３Ｄ及び外部マイナス端子３Ｅを有しており、電池パックＰ以外の外部電源と接続可能に構成されている。例えば、図６に示さている一端に外部電源接続部３Ｃと接続可能な端子Ｆ１を有し他端にシガーソケットＦ２を備えるケーブルＦを用いることで、車載バッテリと接続することができる。また、例えば、ＡＣ／ＤＣ変換アダプタＧ１を備えるとともに一端に外部電源接続部３Ｃと接続可能な端子Ｇ２を有し他端にコンセントプラグＧ３を有するケーブルＧを用いることで、家庭用の商用電源（ＡＣ１００Ｖ）と接続することができる。外部電源接続部３Ｃは、本発明における「電源接続部」の一例である。
【００６８】
次に、熱交換部４について説明する。図３に示されているように、熱交換部４は、ペルチェ素子４１とアルミブロック４２とを有している。
【００６９】
ペルチェ素子４１は、薄板状の熱交換素子であり、上面は第２ファン部７に当接しており、下面はアルミブロック４２に当接している。また、ペルチェ素子４１は、第１端子４３及び第２端子４４（図１０）を有しており、電流が第１端子４３から第２端子４４に流れた場合に、上面が発熱し、下面が吸熱する（下面が冷却される）。一方、電流が第２端子４４から第１端子４３に流れた場合に、上面が吸熱し、下面が発熱する。アルミブロック４２は、アルミ製の熱伝導部材であって、貫通孔３１２ａ内に嵌装されている。アルミブロック４２の下面は、第１ファン部５に近接しており、ペルチェ素子４１の下面と第１ファン部５との間の熱交換を行う。熱交換部４は、本発明における「温度変化手段」、「出力部」の一例である。
【００７０】
次に、第１ファン部５について説明する。図３〜図５に示されているように、第１ファン部５は、蓋床壁部３１の第２床部３１２の下面に設けられており、第１フィン部５１及び第１ファン５２を有している。
【００７１】
第１フィン部５１は、図５に示されているように、前後方向に延び上下方向に所定の長さを有する金属製の放熱フィンを複数有しており、熱交換部４のアルミブロック４２の直下に位置している。第１ファン５２は、遠心ファンであり、第１フィン部５１の前方に設けられている。第１ファン５２が回転すると、収容空間２ｂに図３に示されている空気流Ａが発生し、収容空間２ｂの空気が撹拌される。これにより、収容空間２ｂ内の空気は、ペルチェ素子４１の下面が吸熱を行っている場合、冷却され、ペルチェ素子４１の下面が発熱を行っている場合、加熱される。
【００７２】
次に、電池接続部６及び電池パックＰに接続可能な電池パックＰについて説明する。
【００７３】
先に、図１０を参照しながら、電池パックＰについて説明する。図１０に示されているように、電池パックＰは、ペルチェ素子４１及び制御基板部８の電源となる複数の二次電池を有する電池組を収容している。また、電池パックＰは、充電プラス端子（Ｃ＋）、放電プラス端子（＋）、充放電マイナス端子（−）、温度信号出力端子（Ｔ）、過充電信号出力端子（Ｖ）、電池種判別端子（Ｌｓ）、電池残量信号出力端子（ＬＤ）を有している。本実施の形態において、二次電池は、リチウムイオン二次電池である。
【００７４】
図３に戻り、電池接続部６について説明する。図３に示されているように、電池接続部６は、接続端子部６１と、一対の案内部６２（図７）とを有している。
【００７５】
接続端子部６１は、第１仕切板３７の前面と第２床部３１２の上面３１２Ａとに亘って設けられており、電池パックＰと接続可能に構成されている。接続端子部６１と電池パックＰとの接続は、電池パックＰを接続端子部６１の上方から接続端子部６１に向かって下方（図３の矢印Ｄ）にスライド移動させることにより行う。上下方向は、本発明における「第１方向」の一例であり、下方向は、本発明における「第１方向のうちの一方向」の一例である。
【００７６】
また、図１０に示されているように、接続端子部６１は、接続端子部６１と電池パックＰとが接続された場合、充電プラス端子（Ｃ＋）、放電プラス端子（＋）、充放電マイナス端子（−）、温度信号出力端子（Ｔ）、過充電信号出力端子（Ｖ）、電池種判別端子（Ｌｓ）、電池残量信号出力端子（ＬＤ）とそれぞれ接続される７個の端子を有している。
【００７７】
図７に示されているように、一対の案内部６２は、電池パックＰの接続端子部６１へのスライド接続を案内する上下に延びるガイドレールであり、第１仕切板３７の前面の左右両端部のそれぞれに設けられている。
【００７８】
次に、第２ファン部７について説明する。図３及び図５に示されているように、第２ファン部７は、第２フィン部７１と第２ファン７２とを有している。
【００７９】
第２フィン部７１は、左右方向に延び上下方向に所定の長さを有する金属製の放熱フィンを複数有しており、熱交換部４のペルチェ素子４１の直上に位置している。第２ファン７２は、軸流ファンであり、上板部３６に取付けられており、吸気孔３ｄの直下に位置している。第２ファン７２が回転すると、図５及び図６に示された空気流Ｂと空気流Ｃとが発生する。
【００８０】
空気流Ｂは、吸気孔３ｄからファン収容空間３ｂ内に吸入され、第２フィン部７１の複数の放熱フィンの間を通過し、第２仕切板３８の下端部と傾斜床部３１３との隙間を介して基板収容空間３ｃに流入した後、排気孔３ｆから排出される空気の流れである。空気流Ｂにより、ペルチェ素子４１の下面が吸熱を行っている場合でもペルチェ素子４１の下面が発熱を行っている場合でも制御基板部８が冷却される。
【００８１】
空気流Ｃは、吸気孔３ｄからファン収容空間３ｂ内に吸入され、第２フィン部７１の複数の放熱フィンの間を通過し、左板部３５に形成された排気孔３ｅから排出される空気の流れである。空気流Ｃにより、ペルチェ素子４１の下面が吸熱を行っている場合、ペルチェ素子４１の上面の熱を複数の放熱フィンを介して外部に排出することができ、収容空間２ｂ内の冷却を効率良く行うことができる。また、ペルチェ素子４１の下面が発熱を行っている場合、空気流Ｃにより、空気流Ｃの空気が放熱フィンに吸熱される。
【００８２】
次に、制御基板部８について説明する。図４〜図６に示されているように、制御基板部８は、平面視矩形状の制御基板８１と、制御基板８１に実装された後述の電力供給回路８２、切替回路８３、制御部８４とを備えている。制御基板８１は、基板収容空間３ｃ内において、第１床部３１１の上面３１１Ａに設置されている。このように、本実施の形態においては、制御基板８１を第２床部３１２の上面３１２Ａよりも高い位置にある第１床部３１１の上面３１１Ａに設置しているため（図５）、上板部３６の吸気孔３ｄから雨水等の水滴がファン収容空間３ｂ内に侵入した場合であっても、当該水滴が基板収容空間３ｃ内に侵入することを抑制でき、当該水滴に起因する制御基板８１に実装された各種回路の故障を抑制できる。また、本実施の形態においては、ファン収容空間３ｂと基板収容空間３ｃとの間に第２仕切板３８が設けられているため、ファン収容空間３ｂに進入した水滴が基板収容空間３ｃ内への侵入することをより抑制することができる。
【００８３】
また、本実施の形態においては、薄板状の制御基板８１を、第２床部３１２の上面３１２Ａよりも上方に位置する第１床部３１１の上面３１１Ａに設けて、第２床部３１２の上面３１２Ａに上下方向の高さが大きい第２ファン部７を設けているため、温度調整容器１の上下方向の寸法を大きくすることなく、開閉蓋部３が開姿勢の状態における温度調整容器１の内部の空間を広くすることができる。第１床部３１１は、本発明における「基板収容部の床」の一例であり、第２床部３１２は、本発明における「電池収容部の床」の一例である。
【００８４】
次に、図１０を参照しながら、制御基板部８の電気的構成について説明する。図１０に示されているように、制御基板部８は、制御基板８１に実装された電力供給回路８２、切替回路８３、制御部８４とを備えている。
【００８５】
電力供給回路８２は、電池パックＰ及び外部電源接続部３Ｃに接続された外部電源の電力を熱交換部４に供給可能に構成された回路であり、プラスライン８２Ａと、マイナスライン８２Ｂと、充電回路８２Ｃと、第１ＦＥＴ８２Ｄと、第１電源回路８２Ｅと、第２ＦＥＴ８２Ｆと、第２電源回路８２Ｇとを有している。電力供給回路８２は、本発明における「電力供給部」の一例である。
【００８６】
プラスライン８２Ａは、外部電源接続部３Ｃの外部プラス端子３Ｄに接続された電源ラインである。マイナスライン８２Ｂは、外部電源接続部３Ｃの外部マイナス端子３Ｅに接続されたＧＮＤラインであり、接続端子部６１（電池パックＰの充電マイナス端子（−）と接続される端子）、第１電源回路８２Ｅ、第２電源回路８２Ｇ及び制御部８４等に接続されている。
【００８７】
充電回路８２Ｃは、電池パックＰを充電可能な回路であり、プラスライン８２Ａとマイナスライン８２Ｂとの間に接続されており、接続端子部６１（電池パックＰの充電プラス端子（Ｃ＋）に接続される端子）及び制御部８４に接続されている。充電回路８２Ｃは、制御部８４から出力される充電制御信号に基づいて、外部プラス端子３Ｄ及び外部マイナス端子３Ｅから印可される電圧を電池パックＰの充電に適切な電圧に変換して、電池パックＰを充電する。例えば、１２Ｖの車載バッテリを外部電源接続部３Ｃに接続しており、且つ、電池パックＰが備える電池組の規定の充電電圧が１４．４Ｖである場合、車載バッテリの電圧（１２Ｖ）を１４．４Ｖに昇圧し、当該１４．４Ｖを用いて定電流定電圧制御で電池パックＰを充電する。また、電池パックＰが備える電池組の規定の充電電圧が１８Ｖである場合、車載バッテリの電圧（１２Ｖ）を１８Ｖに昇圧し、当該１８Ｖを用いて定電流定電圧制御で電池パックＰを充電する。
【００８８】
第１ＦＥＴ８２Ｄは、制御部８４からの信号でドレイン−ソース間の導通／非導通が切替わるスイッチング素子であり、そのドレインはプラスライン８２Ａ及び接続端子部６１（電池パックＰの放電プラス端子（＋）に接続される端子）に、ソースは第１電源回路８２Ｅに、ゲートは制御部８４に接続されている。
【００８９】
第１電源回路８２Ｅは、第１ファン５２、第２ファン７２及びペルチェ素子４１に電力を供給する定電圧電源回路であり、第１ＦＥＴ８２Ｄを介して印可された電圧を１２Ｖに変換して出力する。なお、接続端子部６１と電池パックＰとが接続されていない場合、第１電源回路８２Ｅにはプラスライン８２Ａ及び第１ＦＥＴ８２Ｄを介して外部電源の電圧（本実施の形態においては、１２Ｖ）が印加され、接続端子部６１と電池パックＰとが接続されている場合には、電池パックＰ（電池組）の電圧又は充電回路８２Ｃによって昇圧された電圧（本実施の形態においては、１４．４Ｖ又は１８Ｖ）が接続端子部６１（放電プラス端子（＋）と接続された端子）及び第１ＦＥＴ８２Ｄを介して印加される。
【００９０】
第２ＦＥＴ８２Ｆは、制御部８４からの信号でドレイン−ソース間の導通／非導通が切替わるスイッチング素子であり、そのドレインは切替回路８３に、ソースは第１電源回路８２Ｅに、ゲートは制御部８４に接続されている。
【００９１】
第２電源回路８２Ｇは、制御部８４に電力を供給する定電圧電源回路であり、プラスライン８２Ａ及び接続端子部６１（電池パックＰの放電プラス端子（＋）に接続される端子）に接続されている。第２電源回路８２Ｇは、プラスライン８２Ａ又は接続端子部６１を介して印可された電圧を５Ｖに変換して制御部８４に出力する。
【００９２】
切替回路８３は、電力供給回路８２とペルチェ素子４１との間に設けられた接点切替回路であり、制御部８４からの信号に基いて、電力供給回路８２とペルチェ素子４１との接続状態を第１接続、第２接続、第３接続の間で切替える。第１接続とされた場合、ペルチェ素子４１の第１端子４３はマイナスライン８２Ｂと接続され、且つ、第２端子４４は第１電源回路８２Ｅと第２ＦＥＴ８２Ｆを介して接続される。第２接続とされた場合、第１端子４３は第１電源回路８２Ｅと第２ＦＥＴ８２Ｆを介して接続され、且つ、第２端子４４はマイナスライン８２Ｂと接続される。第３接続とされた場合、ペルチェ素子４１は電力供給回路８２と非接続状態となる。
【００９３】
なお、本実施の形態においては、第１接続とされた状態でペルチェ素子４１に電力が供給された場合、ペルチェ素子４１の上面は発熱し且つ下面は吸熱する。すなわち、第１接続は、収容空間２ｂ内を冷却（収容物を保冷）するための接続である。また、第２接続とされた状態でペルチェ素子４１に電力が供給された場合、ペルチェ素子４１の上面は吸熱し且つ下面は発熱する。すなわち、第２接続は、収容空間２ｂ内を加熱（収容物を保温）するための接続状態である。また、第３接続とされた場合、ペルチェ素子４１には電力が供給されず、ペルチェ素子４１は熱交換を行わない。
【００９４】
制御部８４は、温度調整容器１の動作制御に用いる処理プログラム、各種データに基づいて演算を行う中央処理装置（ＣＰＵ）を有する図示せぬ演算部と、当該処理プログラム、各種テーブル、各種閾値等を記憶するための図示せぬＲＯＭと、データを一時記憶するための図示せぬＲＡＭを有する記憶部と備えている。なお、本実施の形態において、制御部８４はマイコンである。
【００９５】
制御部８４は、充電回路８２Ｃ及び接続端子部６１の４つの端子（電池パックＰの温度信号出力端子（Ｔ）、過充電信号出力端子（Ｖ）、電池種判別端子（Ｌｓ）、電池残量信号出力端子（ＬＤ）とそれぞれ接続される４つの端子）に接続されており、電池パックＰに対し温度監視、過充電監視、電池種判別、電池残量監視を行うとともに充電回路８２Ｃによる電池パックＰの充電を制御する。また、制御部８４は、収容空間２ｂ内の温度を検出する温度検出素子３Ｎと接続されており、収容空間２ｂ内の温度監視を行う。なお、本実施の形態においては、温度検出素子３Ｎは、例えば、アルミブロック４２近傍に配置されたサーミスタ等である。温度検出素子３Ｎは、本発明における「温度検出手段」の一例である。
【００９６】
制御部８４は、操作表示部３Ｂの電源スイッチ３Ｆから出力される信号に基づいて、第１電源回路８２Ｅへの電力供給のオン／オフを切換える。第１電源回路８２Ｅへの電力供給のオン／オフは、第１ＦＥＴ８２Ｄのドレイン−ソース間の導通／非導通を切替えることで行う。
【００９７】
制御部８４は、操作表示部３Ｂの温冷切替スイッチ３Ｇから出力される信号に基づいて、冷却及び加熱に関するモードを冷却モード、加熱モード、温冷オフモードの間で切替える。制御部８４は、冷却モードとする場合、切替回路８３に信号（信号線は不図示）を出力して第１接続とし、加熱モードとする場合は第２接続とし、温冷オフモードとする場合には第３接続とする。
【００９８】
制御部８４は、操作表示部３Ｂの出力切替スイッチ３Ｈから出力される信号に基づいて、出力に関するモードをハイモード、ノーマルモード、ローモードの間で切替える。制御部８４は、各モードにおいて、外部電源接続部３Ｃと外部電源との接続状態（外部電源入力の有無）、接続端子部６１と電池パックＰとの接続状態（電池接続の有無）、電池パックＰの電池残量、及び、収容空間２ｂ内の温度（収容空間温度）の４つの要素に基づいて、ペルチェ素子４１に供給する電力（ペルチェ供給電力）をＰＷＭ制御を用いて制御（変更）する。なお、制御部８４は、第２ＦＥＴ８２ＦのゲートにＰＷＭ信号を出力することでＰＷＭ制御を行う。
【００９９】
ここで、図１１を参照しながら、ハイモード、ノーマルモード、ローモードの各モードにおける制御部８４によるペルチェ供給電力の制御について説明する。図１１は、各モードにおける外部電源入力の有無、電池接続の有無、電池残量、及び、収容空間温度に応じたペルチェ供給電力を示したテーブルである。
【０１００】
図１１に示されているように、制御部８４は、外部電源入力がある場合には、ハイモード、ノーマルモード、ローモードにおいて同一の制御を行い、外部電源入力がなく且つ電池接続がある場合には、各モード間で異なる制御を行う。
【０１０１】
外部電源入力がある場合について説明する。図１１に示されているように、外部電源入力があり且つ電池接続がない場合には、電池パックＰを充電する必要がなく外部電源から外部電源接続部３Ｃを介して供給される電力のすべてをペルチェ素子４１に供給することができるため、ハイモード、ノーマルモード、ローモードのすべてにおいて、ペルチェ供給電力を最大の５０Ｗとして収容空間２ｂの冷却又は加熱を行う。
【０１０２】
また、各モードにおいて外部電源入力があり且つ電池接続がある場合には、電池パックＰが満充電であるか否かを判断し、満充電であるときは、電池パックＰを充電する必要がないため、ペルチェ供給電力を最大の５０Ｗとして収容空間２ｂ内の冷却又は加熱を行う。一方、各モードにおいて外部電源入力があり且つ電池接続がある場合に、満充電でなく電池パックＰを充電する必要があるときには（図１１の「空」）、ペルチェ供給電力を３５Ｗとして冷却又は加熱を行い、電池パックＰの充電電力を１０Ｗとする。なお、電池パックＰが満充電であるか否かの判断は、電池残量信号出力端子（ＬＤ）から出力される電池残量信号に基づいて判断する。
【０１０３】
外部電源入力がなく且つ電池接続がある場合、すなわち、温度調整容器１が電池パックＰを電源として駆動している場合について説明する。外部電源入力がなく且つ電池接続がある場合には、収容空間温度に応じて、ペルチェ供給電力を変更する。詳細には、当該状態で冷却モードに設定されている場合であれば、収容空間温度が所定の冷却温度閾値よりも高い場合と低い場合とでペルチェ供給電力を変更し、加熱モードに設定されている場合であれば、収容空間温度が所定の加熱温度閾値よりも低い場合と高い場合とでペルチェ供給電力を変更する。
【０１０４】
ここでは、冷却モードに設定されているときの外部電源入力がなく且つ電池接続がある場合について説明する。
【０１０５】
冷却モードに設定されており、外部電源入力がなく且つ電池接続がある場合、ハイモードにおいては、収容空間２ｂ内の冷却を最優先とし、収容空間温度が冷却温度閾値よりも高い場合及び低い場合ともにペルチェ供給電力を最大の５０Ｗとする。このように、ハイモードにおいては、収容空間２ｂ内の冷却を最優先としているため、収容物を急速に冷却することができる。
【０１０６】
ノーマルモードにおいては、収容空間温度が冷却温度閾値よりも高い場合、すなわち、収容空間２ｂ内の冷却の必要性が高い場合にはペルチェ供給電力を最大の５０Ｗとして冷却を最優先する。一方、収容空間温度が冷却温度閾値よりも低い場合、すなわち、収容空間２ｂ内の冷却の必要性が低い場合には、冷却よりも電池パックＰの電力消費の抑制を優先させてペルチェ供給電力を２０Ｗとする。このように、ノーマルモードにおいては、収容空間２ｂ内の冷却が必要な場合にはペルチェ供給電力を最大とし、冷却の必要性が低い場合にはペルチェ供給電力を２０Ｗとして電池パックＰの消費電力を抑制している。このため、収容空間２ｂ内の冷却を効率良く行うとともに電池パックＰによる温度調整容器１の駆動時間を長くすることができる。
【０１０７】
ローモードにおいては、電池パックＰの電力消費の抑制を最優先とし、収容空間温度が冷却温度閾値よりも高い場合及び低い場合ともにペルチェ供給電力を２０Ｗとする。このように、ローモードにおいては、電力消費の抑制を最優先としているため、電池パックＰによる温度調整容器１の駆動時間をより長くすることができる。
【０１０８】
上述したように本実施の形態による温度調整容器１は、開口２ａが形成され開口２ａと連続する収容空間２ｂが内部に画成された収容部２と、開口２ａを開閉可能な開閉蓋部３と、電力が供給されることで収容空間２ｂ内の温度を変化させる熱交換部４と、電池パックＰと接続可能に構成された電池接続部６と、電池パックＰの電力を熱交換部４に供給可能に構成された電力供給回路８２と、電力供給回路８２から熱交換部４に供給される電力を制御する制御基板部８と、を備えている。
【０１０９】
このような構成によると、電池パックＰと接続可能に構成された電池接続部６を備えているため、電池パックＰが故障した場合であっても他の電池パックを電池接続部６に接続することで熱交換部４に電力を供給することができる。これにより、内部バッテリを用いる構成と比較して、利便性が高く、メンテナンスを容易とすることができる。
【０１１０】
また、本実施の形態においては、制御部８４は制御基板８１に実装され、電池接続部６及び制御基板８１は、開閉蓋部３に設けられている。これにより、収容部２に電池接続部６及び制御基板８１が設けられている構成と比較して、収容空間２ｂを広くすることができる。また、電池接続部６に電池パックＰを接続した状態で開閉蓋部３により開口２ａを閉塞した場合には、電池パックＰの重さにより収容空間２ｂ内の密閉性を高めることができる。また、開閉蓋部３の回動支点となるヒンジ側（後側）と反対側（前側）に電池接続部６を設けたことで、ヒンジ側に設けた場合と比較して電池パックＰの自重を利用して密閉性を一層高めることができる。また、単一の乾電池と比較して電池パックＰは重いため、電池パックは密閉性を高める場合に効果的である。
【０１１１】
また、本実施の形態においては、開閉蓋部３は、電池接続部６に接続された状態の電池パックＰを収容可能な電池収容空間３ａと電池収容空間３ａを画成する部分を有し、電池収容空間３ａを画成する部分は、閉姿勢において電池接続部６に接続された状態の電池パックＰを覆い、開姿勢において電池パックＰを露出させる電池蓋３Ａを有している。これにより、電池接続部６に接続された状態の電池パックＰを衝撃や雨水等から保護することができ、電池パックＰの故障を抑制することができる。
【０１１２】
また、本実施の形態においては、収容部２は、上下方向に延び上端部が開口２ａを規定する周壁部２１と、周壁部２１の下端部を閉塞する床壁部２２と、を有し、開閉蓋部３は、制御基板８１を収容する基板収容空間３ｃ及び基板収容空間３ｃを画成する部分を有し、開閉蓋部３が開口２ａを閉塞している状態において、上下方向における第１床部３１１と床壁部２２との離間距離Ｌ３は、第２床部３１２と床壁部２２との離間距離Ｌ４よりも長く構成されている。床壁部２２を下側にして温度調整容器１を地面に載置した場合、第１床部３１１は第２床部３１２よりも高い位置となる。これにより、開閉蓋部３が収容部２の開口２ａを閉塞している状態において、第１床部３１１と床壁部２２との間の空間を広くすることができる。また、電池収容部と基板収容部が連通している構成の場合、電池収容部に雨水等が浸入した場合でも雨水が基板収容部に流れ込んでしまうことを防止でき、制御基板を保護することができる。
【０１１３】
また、本実施の形態においては、電池接続部６は、電池パックＰを電池接続部６に向かって上下方向のうちの下方向（図３の矢印Ｄ）に移動させることで電池接続部６と接続されるように構成されている。これにより、電池パックＰを電池接続部６に簡易に接続することができる。
【０１１４】
また、本実施の形態においては、外部電源（車載バッテリや家庭用の商用電源）と接続可能な外部電源接続部３Ｃを備えており、電力供給回路８２は、外部電源の電力を熱交換部４に供給可能に構成されている。これにより、電池パックの残量がない場合であっても熱交換部４に電力を供給することができ、利便性をより向上させることができる。
【０１１５】
また、本実施の形態においては、収容空間２ｂの温度を検出する温度検出素子３Ｎを備えており、制御部８４は、電池接続部６と電池パックＰとの接続状態、外部電源接続部３Ｃと外部電源との接続状態及び収容空間２ｂの温度の少なくともいずれか一つに基づいて、熱交換部４に供給される電力を制御している。これにより、熱交換部４に適切な電力を供給することができる。また、該電池パックは電動工具用電池パックであることが好ましい。このような構成によると、乾電池を使用する場合と比較して温度変化手段に供給可能な電力を多くするこができる。また、電動工具を用いて作業している場合にはその電池パックを利用することができる。また、電池パックを開閉部に取り付ける構成すれば、乾電池と比較して重いため、電池接続部に電池パックを接続した状態で開閉部により開口を閉塞した場合、電池パックの重さにより収容空間内の密閉性を一層高めることができる。
【０１１６】
次に、図１２〜図１５を参照しながら、本発明の第２の実施の形態による電気機器の一例である温度調整容器２００について説明する。なお、温度調整容器１と同一の部材、構成には同一の符号を付して説明を省略し、異なる構成についてのみ説明する。
【０１１７】
図１２〜図１５に示されているように、温度調整容器２００は、電池接続部２０６と電池蓋２０３Ａと備えている。図１２は、温度調整容器２００の外観を示す平面図であり、電池接続部２０６に電池パックＰを接続した状態を示している。図１３は、温度調整容器２００の内部を示す図１２のＸＩＩＩ−ＸＩＩＩ線に沿った部分断面図であり、電池蓋２０３Ａが閉姿勢である状態を示している。図１４は、温度調整容器２００の内部を示す図１２のＸＩＩＩ−ＸＩＩＩ線に沿った部分断面図であり、電池蓋２０３Ａが開姿勢である状態を示している。図１５は、温度調整容器２００の開閉蓋部３の内部を示す部分断面平面図である。
【０１１８】
図１３及び図１４に示されているように、電池接続部２０６は、接続端子部２６１と、一対の図示せぬ案内部とを有している。接続端子部２６１は、第２床部３１２の上面３１２Ａに設けられており、電池パックＰと接続可能に構成されている。接続端子部２６１と電池パックＰとの接続は、電池パックＰを接続端子部２６１の右方から接続端子部２６１に向かって左方（図１４の矢印Ｅ）にスライド移動させることにより行う。左右方向は、本発明における「第２方向」の一例であり、左方向は、本発明における「第２方向のうちの一方向」の一例である。
【０１１９】
一対の案内部は、電池パックＰの接続端子部２６１へのスライド接続を案内する左右に延びるガイドレールであり、第２床部３１２の上面３１２Ａに前後方向に所定の間隔を空けて設けられている。
【０１２０】
図１２に示されているように、電池蓋２０３Ａは、上板部３６に設けられた前後方向に延びる２本の回動軸２３６Ａに回動可能に接続されており、回動軸２３６Ａを中心に、電池収容空間３ａと外部とを連通させる開姿勢（図１４に示されている状態）と、電池収容空間３ａと外部との連通を遮断する閉姿勢（図１３に示されている状態）との間を回動可能に構成されている。また、電池パックＰが電池接続部２０６に接続された状態において、電池蓋２０３Ａは、開姿勢で電池パックＰを外部に露出し、閉姿勢で電池パックＰを覆う。
【０１２１】
このように、本発明の第２の実施の形態による電気機器の一例である温度調整容器２００は、電池パックＰを電池接続部２０６に向かって上下方向と交差する左右方向のうちの左方に移動させることで電池パックＰと接続されるように構成されている。このため、開閉蓋部３の開閉に伴う遠心力によって電池パックＰと電池接続部２０６（電池パックＰの端子と接続端子部２６１）との接続が不安定になることを抑制することができる。また、第１の実施の形態と比較し、電池収容空間３ａの上下方向の寸法を抑えることができるため、離間距離Ｌ２及びＬ４を広くすることができる。
【０１２２】
次に、図１６を参照しながら、本発明の第３の実施の形態による電気機器の一例である温度調整容器３００について説明する。なお、上述した実施の形態による温度調整容器と同一の部材、構成には同一の符号を付して説明を省略し、異なる構成についてのみ説明する。図１６は、温度調整容器３００の開閉蓋部３の内部を示す部分断面平面図である。
【０１２３】
温度調整容器３００は、図示せぬ接続他端子部と図示せぬ一対の案内部とを有する電池接続部３０６を備えている。電池接続部３０６の接続端子部は、第２床部３１２の上面３１２Ａに設けられており、電池パックＰと接続可能に構成されている。電池接続部３０６の接続端子部とと電池パックＰとの接続は、電池パックＰを当該接続端子部の前方から当該接続端子部に向かって後方（図１６の矢印Ｆ）にスライド移動させることにより行う。前後方向は、本発明における「第２方向」の一例であり、後方向は、本発明における「第２方向のうちの一方向」の一例である。
【０１２４】
電池接続部３０６の一対の案内部は、電池パックＰの当該接続端子部へのスライド接続を案内する前後に延びるガイドレールであり、第２床部３１２の上面３１２Ａに左右方向に所定の間隔を空けて設けられている。
【０１２５】
このように、本発明の第３の実施の形態による電気機器の一例である温度調整容器３００は、電池パックＰを電池接続部３０６に向かって上下方向と交差する前後方向のうちの後方に移動させることで電池パックＰと接続されるように構成されている。このため、操作表示部３Ｂと同じ方向（前方）から電池パックＰを着脱できる。そのため、温度調整容器３００が起動しているか否かを確認して電池パックＰを取り外すことが可能となる。また、第１の実施の形態と比較し、電池収容空間３ａの上下方向の寸法を抑えることができるため、離間距離Ｌ２及びＬ４を広くすることができる。
【０１２６】
次に、図１７を参照しながら、本発明の第４の実施の形態による電気機器の一例である温度調整容器４００について説明する。なお、上述した実施の形態による温度調整容器と同一の部材、構成には同一の符号を付して説明を省略し、異なる構成についてのみ説明する。図１７は、温度調整容器４００の開閉蓋部３の内部を示す部分断面平面図である。
【０１２７】
温度調整容器４００の電池収容空間３ａ内には、図示せぬ２つの電池接続部が設けられており、２つの電池接続部のそれぞれに電池パックＰを接続した状態で収容可能に構成されている。
【０１２８】
このように、本発明の第４の実施の形態による電気機器の一例である温度調整容器４００は、電池接続部を複数備えているため、詳細には、電池収容空間３ａに２つの電池接続部を有しているため、熱交換部４に２個の電池パックＰから電力を供給することができる、すなわち、熱交換部４に供給可能な電力を多くするこができる。これにより、収容物を長時間冷却又は加熱することができる。なお、電池パックＰは第１の実施の形態のように上下方向にスライド接続するようにしても良い。
【０１２９】
次に、図１８を参照しながら、本発明の第５の実施の形態による電気機器の一例である温度調整容器５００について説明する。なお、上述した実施の形態による温度調整容器と同一の部材、構成には同一の符号を付して説明を省略し、異なる構成についてのみ説明する。図１８は、温度調整容器５００の開閉蓋部３の内部を示す部分断面平面図である。
【０１３０】
温度調整容器５００の開閉蓋部３内には、互いに独立した第１電池収容空間５０３ａ、第２電池収容空間５０３ｂ、ファン収容空間５０３ｃが画成されている。詳細には、第１電池収容空間５０３ａは開閉蓋部３内の右側前部に、第２電池収容空間５０３ｂは右側後部に、ファン収容空間５０３ｃは第１電池収容空間５０３ａと第２電池収容空間５０３ｂとの間に画成されている。第１電池収容空間５０３ａ及び第２電池収容空間５０３ｂのそれぞれには図示せぬ電池接続部が設けられている。
【０１３１】
このように、本発明の第５の実施の形態による電気機器の一例である温度調整容器５００の開閉蓋部３には、第１電池収容空間５０３ａ及び第２電池収容空間５０３ｂの互いに分離された２つの電池収容空間が画成されており、電池パックＰが収容可能な構成となっている。このため、熱交換部４に２個の電池パックＰから電力を供給することができる、すなわち、熱交換部４に供給可能な電力を多くするこができる。これにより、収容物を長時間冷却又は加熱することができる。
【０１３２】
次に、図１９を参照しながら、本発明の第６の実施の形態による電気機器の一例である温度調整容器６００について説明する。なお、上述した実施の形態による温度調整容器と同一の部材、構成には同一の符号を付して説明を省略し、異なる構成についてのみ説明する。図１９は、温度調整容器６００の内部を示す部分断面前面図である。
【０１３３】
図１９に示されているように、温度調整容器６００の開閉蓋部３内の右側には、ファン収容空間６０３ｂが画成され、左側上部には、電池収容空間６０３ａが画成され、左側下部には、基板収容空間６０３ｃが画成されている。電池収容空間３ａと基板収容空間６０３ｃとは、隔壁６０３Ａによって仕切られている。電池収容空間６０３ａ内において隔壁６０３Ａの上面には、電池接続部６０６が設けられている。
【０１３４】
このように、本発明の第６の実施の形態による電気機器の一例である温度調整容器６００の開閉蓋部３内の左側の空間は、隔壁６０３Ａによって電池収容空間６０３ａと基板収容空間６０３ｃとに分離されている。このため、端子接続部と制御基板８１との距離を短くすることができるため、それらを接続する配線を短くできる。そのため、組み立てが容易になると共にコストを削減することもできる。また、収容空間２ｂを広くすることができる。
【０１３５】
次に、図２０を参照しながら、本発明の第７の実施の形態による電気機器の一例である温度調整容器７００について説明する。なお、上述した実施の形態による温度調整容器と同一の部材、構成には同一の符号を付して説明を省略し、異なる構成についてのみ説明する。図２０は、温度調整容器７００の内部を示す部分断面前面図である。
【０１３６】
図２０に示されているように、温度調整容器７００は、収容部７０２及び開閉蓋７０３を備えている。収容部７０２の下部右側は左方に窪んでおり、当該窪んだ部分には電池収容空間７０２ａが画成されており、電池収容空間７０２ａ内には、電池接続部７０６が設けられている。また、開閉蓋７０３内の右側には、ファン収容空間７０３ｂが画成され、左側には基板収容空間７０３ｃが画成されている。また、キャスタ２２Ｂが設けられている部分（図中の左下部分）と反対側（図中の右下部分）に電池接続部７０６を設けている。
【０１３７】
このように、本発明の第７の実施の形態による電気機器の一例である温度調整容器７００においては、電池収容空間７０２ａが収容部７０２の下部右側に画成されている。このため、開閉蓋部３を軽くすることができ、開閉蓋部３を開閉しやすくすることができる。また、雨水等の異物が電池収容空間７０２ａへ入り込み難い構成とすることができる。また、温度調整容器７００の下部が重くなるため、温度調整容器７００を安定して置くことができる。また、キャスタ２２Ｂによって電気機器を傾けて収容部７０２に溜まった水等を捨てる場合に、水が収容部７０２の壁面を伝って流れても、電池接続部７０６に水が流れ込むことを防止することができる。
【０１３８】
次に、図２１を参照しながら、本発明の第８の実施の形態による電気機器の一例である温度調整容器８００について説明する。なお、上述した実施の形態による温度調整容器と同一の部材、構成には同一の符号を付して説明を省略し、異なる構成についてのみ説明する。図２１は、温度調整容器８００の内部を示す部分断面前面図である。
【０１３９】
図２１に示されているように、温度調整容器８００は、収容部８０２及び開閉蓋８０３を備えている。収容部８０２の下部右側には、電池収容空間８０２ａが画成されており、電池収容空間８０２ａ内には、電池接続部８０６が設けられている。収容部８０２の下部左側には、基板収容空間８０２ｃが画成されている。また、開閉蓋８０３内の右側には、ファン収容空間８０３ｂが画成されている。また、キャスタ２２Ｂが設けられている部分（図中の左下部分）と反対側（図中の右下部分）に電池接続部８０６を設けている。
【０１４０】
このように、本発明の第８の実施の形態による電気機器の一例である温度調整容器８００においては、電池収容空間８０２ａが収容部８０２の下部右側に画成され、基板収容空間８０２ｃが収容部８０２下部左側に画成されている。このため、開閉蓋部３を軽くすることができ、開閉蓋部３を開閉しやすくすることができる。また、雨水等の異物が基板収容空間８０２ｃや電池収容空間８０２ａへ入り込み難い構成とすることができる。また、温度調整容器７００の下部が重くなるため、温度調整容器７００を安定して置くことができる。また、キャスタ２２Ｂによって電気機器を傾けて収容部７０２に溜まった水等を捨てる場合に、水が収容部８０２の壁面を伝って流れても、電池接続部８０６に水が流れ込むことを防止することができる。
【０１４１】
次に、図２２を参照しながら、本発明の第９の実施の形態による電気機器の一例である温度調整容器９００について説明する。なお、上述した実施の形態による温度調整容器と同一の部材、構成には同一の符号を付して説明を省略し、異なる構成についてのみ説明する。図２２は、温度調整容器９００の内部を示す部分断面前面図である。
【０１４２】
図２２に示されているように、温度調整容器９００は、収容部９０２と、開閉蓋９０３と、開閉蓋９０３の上面に設けられた電池接続部９０６と、を備えている。収容部９０２の左壁部２１Ｄの上下方向略中央には、左右方向に貫通する貫通孔９０２ｄが形成されており、貫通孔９０２ｄには、熱交換部４が配置されている。熱交換部４の右方において、左壁部２１Ｄの右側面には第１ファン部５が設けられており、熱交換部４の左方において、左壁部２１Ｄの左側面には第２ファン部７が設けれている。左壁部２１Ｄの左側面において第２ファン部７の下方には制御基板部８が設けられている。
【０１４３】
また、左壁部２１Ｄの左側面には、第２ファン部７及び制御基板部８を覆うカバー部９１０が設けられている。カバー部９１０内には第２ファン部７が収容されるファン収容空間９１０ａと、制御基板部８が収容される基板収容部９１０ｂとが画成されている。
【０１４４】
このように、本発明の第９の実施の形態による電気機器の一例である温度調整容器８００においては、電池接続部９０６が開閉蓋９０３の上面に設けられているため、電池パックＰと電池接続部９０６との接続を簡易に行うことができる。また、収容空間２ｂを広くすることができる。また、開閉蓋部３を軽くすることができ、開閉蓋部３を開閉しやすくすることができる。
【０１４５】
本発明による電気機器は、上述した実施の形態に限定されず、特許請求の範囲に記載された発明の要旨の範囲内で種々の変更が可能である。例えば、上記の実施の形態においては、温度調整容器１を例にとって説明したが、これに限定されず、冷却のみ又は加熱のみを行う温度調整容器、或いは、温度調整を必要としない収容空間を備えて電池パックにより電力が供給されて駆動するラジオ等の電気機器に適用可能である。
【符号の説明】
【０１４６】
１、２００、３００、４００、５００、６００、７００、８００、９００…温度調整容器  ２、７０２、８０２、９０２…収容部  ２ａ…開口  ２ｂ…収容空間  ３、７０３、８０３、９０３…開閉蓋部  ３ａ、６０３ａ、７０２ａ、８０２ａ…電池収容空間  ３Ａ、２０３Ａ…電池蓋  ３ｂ、５０３ｃ、６０３ｂ、７０３ｂ、８０３ｂ、９１０ａ…ファン収容空間  ３ｃ、６０３ｃ、８０２ｃ、７０３ｃ…基板収容空間  ３Ｃ…外部電源接続部  ３Ｎ…温度検出素子  ４…熱交換部  ５…第１ファン部  ６、２０６、３０６、６０６、７０６、８０６、９０６…電池接続部  ７…第２ファン部  ８…制御基板部  ２１…周壁部  ２２…床壁部  ３１…蓋床壁部  ４１…ペルチェ素子  ６１、２６１…接続端子部  ８１…制御基板  ８２…電力供給回路  ８２Ｃ…充電回路  ８４…制御部  ３１１…第１床部  ３１２…第２床部  ３１３…傾斜床部  ５０３ａ…第１電池収容空間  ５０３ｂ…第２電池収容空間  Ｌ１…離間距離  Ｌ２…離間距離  Ｌ３…離間距離  Ｌ４…離間距離
【図１】
0006769031.tif 000002
【図２】
0006769031.tif 000003
【図３】
0006769031.tif 000004
【図４】
0006769031.tif 000005
【図５】
0006769031.tif 000006
【図６】
0006769031.tif 000007
【図７】
0006769031.tif 000008
【図８】
0006769031.tif 000009
【図９】
0006769031.tif 000010
【図１０】
0006769031.tif 000011
【図１１】
0006769031.tif 000012
【図１２】
0006769031.tif 000013
【図１３】
0006769031.tif 000014
【図１４】
0006769031.tif 000015
【図１５】
0006769031.tif 000016
【図１６】
0006769031.tif 000017
【図１７】
0006769031.tif 000018
【図１８】
0006769031.tif 000019
【図１９】
0006769031.tif 000020
【図２０】
0006769031.tif 000021
【図２１】
0006769031.tif 000022
【図２２】
0006769031.tif 000023